(57)【要約】【課題】エレベータ制御部とホール機器との間を省配線化して施工工数を低減すると共に、エレベータ利用者へのサービスが低下しないエレベータシステムを提供すること。【解決手段】エレベータシステムは、当該エレベータシステム全体を制御するエレベータ制御部１と、エレベータホール１２ａ〜１２ｄに設けられ、乗りかご呼び登録釦、インジケータ及びランタンからなるホール機器７ａ〜７ｄと、上記エレベータ制御部１と上記ホール機器７ａ〜７ｄとの問の制御信号及び状態データの伝送を電力線搬送通信により行なうための信号変換部８、電力線搬送通信Ｉ／Ｆ３０、及び電力線搬送通信中継Ｉ／Ｆ３１ａ〜３１ｂと、を備える。【選択図】図１
2011088691.tif 000002
【特許請求の範囲】
【請求項１】
当該エレベータシステム全体を制御するエレベータ制御部と、
エレベータホールに設けられ、乗りかご呼び登録釦、インジケータ及びランタンからなるホール機器と、
前記エレベータ制御部と前記ホール機器との問の制御信号及び状態データの伝送を電力線搬送通信により行なう電力線搬送通信手段と、
を備えることを特徴とするエレベータシステム。
【請求項２】
前記電力線搬送通信手段は、
前記エレベータ制御部に接続され、前記エレベータ制御部に入出力される伝送信号とインターネットプロトコルとのプロトコル変換を行なう信号変換器と、
前記信号変換器とエレベータ専用の電力ケーブルとの間に接続された電力線搬送通信Ｉ／Ｆと、
前記電力ケーブルと前記ホール機器との間に接続された電力線搬送通信中継Ｉ／Ｆと、
からなり、
前記電力線搬送通信Ｉ／Ｆは、
エレベータ用ＡＣ電源における電力線搬送通信で使用する搬送波の周波数帯域の信号を減衰させるフィルタと、
前記フィルタと前記電力ケーブルの間に配されると共に前記信号変換器に接続され、前記信号変換器によってインターネットプロトコルにプロトコル変換された伝送信号を前記エレベータ用ＡＣ電源に重畳して前記電力ケーブル上に伝送し、且つ、前記電力ケーブル上を伝送してきた伝送信号を前記エレベータ用ＡＣ電源から分離して前記信号変換器に出力する電力線搬送通信部と、
からなることを特徴とする請求項１に記載のエレベータシステム。
【請求項３】
前記電力線搬送通信中継Ｉ／Ｆは、
前記電力ケーブル上を伝送してきたインターネットプロトコル変換された伝送信号を前記エレベータ用ＡＣ電源から分離し、且つ、前記ホール機器からのインターネットプロトコル変換された伝送信号を前記エレベータ用ＡＣ電源に重畳して前記電力ケーブル上に伝送する電力線搬送通信中継部と、
前記電力線搬送通信中継部にて分離された前記エレベータ用ＡＣ電源を前記ホール機器に必要なＤＣ電源に変換して前記ホール機器に供給する電源変換部と、
前記電力線搬送通信中継部と前記ホール機器との間に接続され、前記ホール機器に入出力される伝送信号とインターネットプロトコルとのプロトコル変換を行なう信号変換部と、
からなることを特徴とする請求項２に記載のエレベータシステム。
【請求項４】
前記電力線搬送通信中継Ｉ／Ｆは、
前記電力ケーブル上を伝送してきたインターネットプロトコル変換された伝送信号を前記エレベータ用ＡＣ電源から分離し、且つ、前記ホール機器からのインターネットプロトコル変換された伝送信号を前記エレベータ用ＡＣ電源に重畳して前記電力ケーブル上に伝送する電力線搬送通信中継部と、
前記電力線搬送通信中継部にて分離された前記エレベータ用ＡＣ電源を前記ホール機器に必要なＤＣ電源に変換する電源変換部と、
前記電力線搬送通信中継部で分離されたインターネットプロトコル変換された伝送信号を前記電源変換部からのＤＣ電源に重畳して前記ホール機器に伝送し、且つ、前記ホール機器から伝送してきたインターネットプロトコル変換された伝送信号を前記ＤＣ電源から分離して前記電力線搬送通信中継部に送信するＰｏＥ変換部と、
からなり、
前記ホール機器は、当該ホール機器に対し入出力される伝送信号と前記ＤＣ電源の分離及び重畳を行なうＰｏＥ対応Ｉ／Ｆを備えることを特徴とする請求項２に記載のエレベータシステム。
【請求項５】
前記ホール機器は、更に、保守端末と通信するための外部通信Ｉ／Ｆを備え、当該ホール機器を介して前記エレベータ制御部と前記保守端末との問の電力線搬送通信を行なわせることを特徴とする請求項１乃至請求項４の何れかに記載のエレベータシステム。
【請求項６】
前記電力線搬送通信手段は、更に、前記エレベータ制御部とエレベータの乗りかごとの間の制御信号及び状態データの少なくとも一部の伝送を電力線搬送通信により行なうことを特徴とする請求項１乃至５の何れかに記載のエレベータシステム。
【発明の詳細な説明】
【技術分野】
【０００１】
本発明はエレベータシステムに関する。
【背景技術】
【０００２】
従来、エレベータの信号伝送装置においては、エレベータ制御装置あるいは群管理制御装置といったエレベータ制御部と、エレベータホールに設置される乗りかご呼び登録釦やインジケータや乗りかご到着を表示するランタンなどからなるホール機器や、昇降路内に設置される安全装置などとの信号伝送を、電源供給用の電源ケーブルとは別に専用のケーブルを敷設して、該専用ケーブルによって行なう方法が主流であった。
【０００３】
このような専用ケーブルの敷設作業の省力化のために、エレベータホール機器との伝送をエレベータドアのインタロック配線を用いて行う方法が提案されている（例えば、特許文献１を参照）。
【先行技術文献】
【特許文献】
【０００４】
【特許文献１】特表２００７−５２６１９４号公報
【発明の概要】
【発明が解決しようとする課題】
【０００５】
しかしながら、上記特許文献１に開示されているようにエレベータホール機器との伝送をエレベータドアのインタロック配線を用いて行う場合、乗りかごが停止してドアが開いている間は、他階のエレベータホールからの乗りかご呼び登録釦要求に対応できず、エレベータ利用者へのサービスが低下すると共に、利用者が何度も乗りかご呼び登録釦を押して、乗りかご呼び登録釦の寿命を縮めてしまうという課題があった。
【０００６】
そこで本発明は、エレベータ制御部とホール機器との間を省配線化して施工工数を低減すると共に、エレベータ利用者へのサービスが低下しないエレベータシステムを提供することを目的とする。
【課題を解決するための手段】
【０００７】
前記目的を果たすため、本発明に係るエレベータシステムの一態様は、
当該エレベータシステム全体を制御するエレベータ制御部と、
エレベータホールに設けられ、乗りかご呼び登録釦、インジケータ及びランタンからなるホール機器と、
前記エレベータ制御部と前記ホール機器との問の制御信号及び状態データの伝送を電力線搬送通信により行なう電力線搬送通信手段と、
を備えることを特徴とする。
【発明の効果】
【０００８】
本発明によれば、エレベータ制御部とホール機器との間の制御信号及び状態データの伝送を電力線搬送通信により行なうことで、省配線化して施工工数を低減すると共に、エレベータ利用者へのサービスが低下しないエレベータシステムを提供することができる。
【図面の簡単な説明】
【０００９】
【図１】本発明の第１実施形態に係るエレベータシステムの構成例を示す図。
【図２】第１実施形態に係るエレベータシステムの要部構成例を示す図。
【図３】本発明の第２実施形態及び第３実施形態に係るエレベータシステムの要部構成例を示す図。
【発明を実施するための形態】
【００１０】
以下、本発明の実施形態について図面を参照して説明する。
【００１１】
［第１実施形態］
先ず、本発明の第１実施形態に係るエレベータシステムを説明する。  
本発明の一態様に係るエレベータシステムは、図１に示す通り、エレベータ制御部１、巻上機２、乗りかご３、主索４、釣合い錘５、昇降路６、ホール機器７ａ〜７ｄ、信号変換部８、伝送ケーブル９、乗りかご制御部１０、信号変換部１１、エレベータホール１２ａ〜１２ｄ、機械室１３、昇降路側無線送受信部２０、乗りかご側無線送受信部２１、監視カメラ２２、図示しないインターホン、図示しないドア開閉制御部、図示しない乗りかご安全回路部、図示しない昇降路安全回路部、電力線搬送通信Ｉ／Ｆ（インタフェース）３０、電力線搬送通信中継Ｉ／Ｆ３１ａ，３１ｂ等から構成されている。なお、ここでは簡単化のために、一台のエレベータのみを備えるエレベータシステムとして説明するが、本発明はそれに限定するものでないことは勿論である。
【００１２】
建屋の各階のエレベータホール１２ａ〜１２ｄを貫通する昇降路６の上側の機械室１３に、巻上機２が設置されている。この巻上機２に、一端にエレベータの乗りかご３が接続され、他端に釣合い錘５が接続された主索４が掛けられている。この巻上機２は、当該エレベータシステム全体を制御する、コンピュータからなるエレベータ制御部１からの指令に基づいて回転して、乗りかご３を指定のエレベータホール１２ａ〜１２ｄへ移動させる。各階のエレベータホール１２ａ〜１２ｄにおいて、エレベータドアの近傍に小型コンピュータが組み込まれたホール機器７ａ〜７ｄが取付けられており、ホール機器７ａ〜７ｄは、乗りかご呼び登録釦や、乗りかご３が該当階に接近していることを知らせるホールランタンや、乗りかご３の現在位置を表示するインジケータなどで構成されている。
【００１３】
電力線搬送通信Ｉ／Ｆ３０は、図２に示す通り、フィルタ３３と、電力線搬送通信変換部３４とで構成されている。フィルタ３３は、エレベータ用ＡＣ電源を供給する電源部３２と電力線搬送通信変換部３４との間に設けられ、該フィルタ３３と電源部３２との間の、電力線搬送通信で使用する搬送波の周波数帯域の信号を減衰させる。即ち、フィルタ３３は、電力線搬送通信による伝送信号が電源部３２側へ漏れないようにしている。このフィルタ３３を経由したエレベータ用ＡＣ電源は、電力線搬送通信変換部３４に供給される。
【００１４】
一方、信号変換部８は、エレベータ制御部１とホール機器７ａ〜７ｄや乗りかご３との問の伝送信号を、インターネットプロトコル（ＩＰ）などにプロトコル変換するものであり、イーサネット（登録商標）や光ファイバなどの伝送ケーブル９を介して、電力線搬送通信Ｉ／Ｆ３０の電力線搬送通信変換部３４や昇降路側無線送受信部２０に接続されている。また、この信号変換部８は、乗りかご３やホール機器７ａ〜７ｄからインターネットプロトコル（ＩＰ）などにプロトコル変換されて伝送されてくる伝送信号を、電圧・電流レベルのパラレル信号や、ＲＳ−４８５、イーサネットまたは光ファイバなどのシリアル信号に変換して、エレベータ制御部１に伝送する。こうして、該信号変換部８により、エレベータ制御部１とホール機器７ａ〜７ｄや乗りかご３との問で、相互に信号伝送を行う。
【００１５】
電力線搬送通信Ｉ／Ｆ３０の電力線搬送通信変換部３４は、上記フィルタ３３を介して供給されたＡＣ電源に上記信号変換部８から伝送されてきたインターネットプロトコル（ＩＰ）などの信号を重畳して、エレベータ専用の電力ケーブルであるＡＣ電源ケーブルにより、電力線搬送通信中継Ｉ／Ｆ３１ａに伝送する。
【００１６】
電力線搬送通信中継Ｉ／Ｆ３１ａは、電力線搬送通信中継部３５ａ、電源変換部３６ａ、及び信号変換部３７ａから構成されている。電力線搬送通信中継部３５ａは、ＡＣ電源ケーブルを下階の電力線搬送通信中継Ｉ／Ｆ３１ｂに分岐接続する。電力線搬送通信中継Ｉ／Ｆ３１ｂよりも下階に電力線搬送通信中継Ｉ／Ｆがある場合は、同様に分岐接続する。また、電力線搬送通信中継部３５ａは、ＡＣ電源に重畳されたインターネットプロトコル（ＩＰ）などの伝送信号をＡＣ電源から分離して、ＡＣ電源を電源変換部３６ａに供給すると共に伝送信号を信号変換部３７ａに伝送する。電源変換部３６ａは、供給されたＡＣ電源を、ホール機器７ｄ，７ｃが必要とする電圧の異なるＡＣ電源あるいはＤＣ電源に変換する。そして、電源ケーブルを介してホール機器７ｄ，７ｃにその変換した電源を供給する。また、信号変換部３７ａは、ＲＳ−４８５、イーサネットまたは光ファイバなどの伝送ケーブルを介して、ホール機器７ｄ，７ｃにデイジーチェーン接続またはカスケード接続されており、インターネットプロトコル（ＩＰ）などの伝送信号をレベル制御信号とＲＳ−４８５やイーサネット信号などのシリアル制御信号の電気信号に変換して、それらホール機器７ｄ，７ｃに送信する。
【００１７】
ホール機器７ｄ，７ｃのホールランタンは、乗りかご呼び登録釦からの指令で点灯する。この乗りかご呼び登録釦でエレベータホールの利用者によって登録された、当該ホール機器７ｄの設置階を行き先階として指定した、乗場呼びの状態データは、上記伝送ケーブルを介して信号変換部３７ａへ送信され、該信号変換部３７ａでインターネットプロトコル（ＩＰ）などにプロトコル変換される。そして、電力線搬送通信中継部３５ａでＡＣ電源に重畳されて、ＡＣケーブルにより電力線搬送通信Ｉ／Ｆ３０に送信され、電力線搬送通信Ｉ／Ｆ３０から信号変換部８を介してエレベータ制御部１へ送信される。
【００１８】
同様に、電力線搬送通信中継Ｉ／Ｆ３１ｂは、電力線搬送中継部３５ｂ、電源変換部３６ｂ、及び信号変換部３７ｂから構成され、ホール機器７ｂ、７ａに接続される。
【００１９】
一方、乗りかご３には、図１に示すように、信号変換部１１と、図示しないインジケータや図示しない行先階登録釦等の機器を統括制御する乗りかご制御部１０と、監視カメラ２２と、が搭載されている。更に、特に図示はしていないが、インターホン、ドア開閉制御部、及び乗りかご安全回路部が搭載され、ＲＳ−４８５、イーサネットまたは光ファイバなどの伝送ケーブルを介して、信号変換部１１にデイジーチェーン接続またはカスケード接続されている。
【００２０】
信号変換部１１は、乗りかご側無線送受信部２１からインターネットプロトコル（ＩＰ）などで伝送される伝送パケットを、レベル制御信号とＲＳ−４８５やイーサネットなどのシリアル制御信号の電気信号に変換し、乗りかご制御部１０、監視カメラ２２、インターホン、ドア開閉制御部、及び乗りかご安全回路部に送信する。乗りかご制御部１０は、送信された信号に従って図示しないインジケータへ階床表示や行先階表示を行う。監視カメラ２２は、送信された信号に従ってパン，チルト，ズームや撮影品質変更などを行う。インターホンは、図示しない監視センタや機械室１３から送信された信号を音声として再生する。ドア開閉制御部は、送信された信号に従ってドアの開閉を制御する。乗りかご安全回路は、送信された信号と乗りかご３側の安全回路信号と同期をとって、乗りかご３に搭載される各種機器とのインタロックを構成する。
【００２１】
また、図示しない通信インタフェースを介して、乗りかご制御部１０が制御する行先階登録釦による行先階登録要求情報や乗りかご内安全操作スイッチや点検運転用昇降スイッチの状態情報と、監視カメラ２２の映像信号と音声信号及び状態情報と、図示しない非常通話用インターホンの音声信号は、デイジーチェーン接続またはカスケード接続されたＲＳ−４８５、イーサネットまたは光ファイバなどの伝送ケーブルを介して、信号変換部１１に送信される。
【００２２】
乗りかご制御部１０、監視カメラ２２、ドア開閉制御部及び図示しない乗りかご追加搭載機器のエレベータ昇降制御に関する各々の安全回路信号は、レベル制御信号線などを介して、乗りかご安全回路部に接続されている。この乗りかご安全回路部は、接続された各機器の安全回路信号を、図示しないリレー回路等を用いて信号変換部１１に接続された１本の信号線に集約して、送信する。
【００２３】
信号変換部１１は、接続された各々の制御信号等をデジタル化すると共にインターネットプロトコル（ＩＰ）などにプロトコル変換して伝送パケットを生成し、乗りかご側無線送受信部２１に送信する。
【００２４】
乗りかご３の側面には、乗りかご側無線送受信部２１が設けられている。該乗りかご側無線送受信部２１は、昇降路６に設けられた昇降路側無線送受信部２０と無線伝送を行うことで、エレベータ制御部１との伝送を行う。即ち、昇降路側無線送受信部２０は、受信した制御信号などからなるインターネットプロトコル（ＩＰ）等の伝送パケットを、伝送ケーブル９を介して信号変換部８に送信する。信号変換部８は、受信した伝送パケットをレベル制御信号とＲＳ−４８５やイーサネット信号などのシリアル制御信号の電気信号に変換し、エレベータ制御部１に送信する。エレベータ制御部１に送信された各制御信号や映像・音声信号は、図示しない信号処理部に供給され、巻上機２の制御や監視センタでの監視などに利用される。
【００２５】
なお、本実施形態では、電力線搬送通信中継Ｉ／Ｆ１台にホール機器を２台接続する構成としたが、少なくとも１台以上接続する構成としても良い。
【００２６】
また、乗りかご３内の各部への電力は、特に図示はしていないが、昇降路６に沿って電力供給線を付設し、電磁誘導等の非接触方式で給電を行なう。
【００２７】
以上のように、本第１実施形態によれば、当該エレベータシステム全体を制御するエレベータ制御部１と、エレベータホール１２ａ〜１２ｄに設けられ、乗りかご呼び登録釦、インジケータ及びランタンからなるホール機器７ａ〜７ｄと、上記エレベータ制御部１と上記ホール機器７ａ〜７ｄとの問の制御信号及び状態データの伝送を電力線搬送通信により行なう電力線搬送通信手段としての信号変換部８、電力線搬送通信Ｉ／Ｆ３０、及び電力線搬送通信中継Ｉ／Ｆ３１ａ〜３１ｂと、を備えることで、省配線化して施工工数を低減すると共に、エレベータ利用者へのサービスが低下しないエレベータシステムを提供することができる。
【００２８】
また、上記電力線搬送通信手段は、上記エレベータ制御部１に接続され、上記エレベータ制御部１に入出力される伝送信号とインターネットプロトコル（ＩＰ）とのプロトコル変換を行なう信号変換器としての信号変換部８と、上記信号変換器とエレベータ専用の電力ケーブルであるＡＣケーブルとの間に接続された電力線搬送通信Ｉ／Ｆ３０と、上記電力ケーブルと上記ホール機器７ａ〜７ｄとの間に接続された電力線搬送通信中継Ｉ／Ｆ３１ａ，３１ｂと、からなり、上記電力線搬送通信Ｉ／Ｆ３０は、エレベータ用ＡＣ電源における電力線搬送通信で使用する搬送波の周波数帯域の信号を減衰させるフィルタ３３と、上記フィルタ３３と上記電力ケーブルの間に配されると共に前記信号変換器に接続され、前記信号変換器によってインターネットプロトコル（ＩＰ）にプロトコル変換された伝送信号を上記エレベータ用ＡＣ電源に重畳して上記電力ケーブル上に伝送し、且つ、上記電力ケーブル上を伝送してきた伝送信号を上記エレベータ用ＡＣ電源から分離して上記信号変換器に出力する電力線搬送通信部としての電力線搬送通信変換部３４と、からなるよう構成したことにより、同一建築物内で電力線搬送通信を使用しても伝送速度の低下を抑制可能になる。
【００２９】
更に、上記電力線搬送通信中継Ｉ／Ｆ３１ａまたは３１ｂは、上記電力ケーブル上を伝送してきたインターネットプロトコル変換された伝送信号を上記エレベータ用ＡＣ電源から分離し、且つ、上記ホール機器７ｃ，７ｄまたは７ａ，７ｂからのインターネットプロトコル変換された伝送信号を上記エレベータ用ＡＣ電源に重畳して上記電力ケーブル上に伝送する電力線搬送通信中継部３５ａまたは３５ｂと、上記電力線搬送通信中継部３５ａまたは３５ｂにて分離された上記エレベータ用ＡＣ電源を上記ホール機器７ｃ，７ｄまたは７ａ，７ｂに必要なＤＣ電源に変換して上記ホール機器７ｃ，７ｄまたは７ａ，７ｂに供給する電源変換部３６ａまたは３６ｂと、上記電力線搬送通信中継部３５ａまたは３５ｂと上記ホール機器７ｃ，７ｄまたは７ａ，７ｂとの間に接続され、上記ホール機器７ｃ，７ｄまたは７ａ，７ｂに入出力される伝送信号とインターネットプロトコル（ＩＰ）とのプロトコル変換を行なう信号変換部３７ａまたは３７ｂと、からなるよう構成したので、高階床化に対応でき、ホール機器敷設作業の省力化が可能となる。
【００３０】
なお、乗りかご３内の各部への電力は、昇降行程が１００ｍ程度であれば、テールコードを用いて、テールコード内のＡＣ電源ケーブルにより給電を行なうようにしても良い。この場合は、エレベータ制御部１と乗りかご３を無線伝送するのではなく、そのテールコード内のＡＣ電源ケーブルで電力線搬送通信する構成としても良い。
【００３１】
エレベータ制御部１と乗りかご３との無線伝送は、開発コスト及び運用コストを抑えるために、無線免許が不要な周波数帯を使用することとなるが、そのような周波数帯を用いた場合、同一周波数帯による信号の無線伝送を行っている他の機器からの電波干渉を受け、その電波干渉によって伝送エラーが頻発しデータ再送処理等が必要になるため、十分な実効データ伝送速度を確保できなくなるおそれがある。
【００３２】
これに対して、上記電力線搬送通信手段は、更に、上記エレベータ制御部１とエレベータの乗りかご３との間の制御信号及び状態データの少なくとも一部の伝送を電力線搬送通信により行なうように構成すれば、そのようなおそれはなく、乗りかご３内へのインフォメーションシステムや、監視カメラ２２などを用いたセキュリティシステムなどのエレベータ付加価値製品に対して十分な実効データ伝送速度を確保できる。
【００３３】
［第２実施形態］
次に、本発明の第２実施形態に係るエレベータシステムを説明する。  
図３において、上記第１実施形態に係るエレベータシステムと同一の構成には同一の符号を付し、重複する説明は省略する。
【００３４】
即ち、本実施形態に係るエレベータシステムは、上記第１実施形態の構成の内、電力線搬送通信中継Ｉ／Ｆ３１ａ，３１ｂにおける信号変換部３７ａ，３７ｂをＩＥＥＥ８０２．３ａｆやＩＥＥＥ８０２．３ａｔなどで規格化されるＰｏＥ（Ｐｏｗｅｒ  ｏｖｅｒ  Ｅｔｈｅｒｎｅｔ）変換部３８ａ，３８ｂに変更すると共に、電源変換部３６ａ，３６ｂをホール機器７ａ〜７ｄではなくてＰｏｅ変換部３８ａ，３８ｂに接続するようにしたものである。さらに、ホール機器７ａ〜７ｄに、図示しないＰｏＥ対応Ｉ／Ｆを付加する構成とする。
【００３５】
即ち、本実施形態における電力線搬送通信中継Ｉ／Ｆ３１ａは、電力線搬送通信中継部３５ａ、電源変換部３６ａ、及びＰｏＥ変換部３８ａから構成されている。電力線搬送通信中継部３５ａは、ＡＣ電源に重畳されたインターネットプロトコル（ＩＰ）などの伝送信号をＡＣ電源から分離して、ＡＣ電源を電源変換部３６ａに供給すると共に伝送信号をＰｏＥ変換部３８ａに伝送する。電源変換部３６ａは、供給されたＡＣ電源を、ホール機器７ｄ，７ｃが必要とするＤＣ電源に変換してＰｏＥ変換部３８ａに供給する。ＰｏＥ変換部３８ａは、イーサネットケーブル３９ｄ，３９ｃを介してホール機器７ｄ，７ｃに個別に接続されており、電源変換部３６ａからのＤＣ電源に、インターネットプロトコル（ＩＰ）などの伝送信号を重畳して、イーサネットケーブル３９ｄ，３９ｃを介してホール機器７ｄ，７ｃに送信する。
【００３６】
ホール機器７ｄは、図示しないＰｏＥ対応Ｉ／ＦによりＤＣ電源からインターネットプロトコル（ＩＰ）の伝送信号を分離して、その伝送信号に従ってホールランタンやインジケータへの受信表示を行なう。また、乗りかご呼び登録釦でエレベータホールの利用者によって登録された、当該ホール機器７ｄの設置階を行き先階として指定した、乗場呼びの状態データは、ＰｏＥ対応Ｉ／Ｆによりインターネットプロトコル（ＩＰ）でＰｏＥ変換部３８ａに対し送信する。ＰｏＥ変換部３８ａは、ＤＣ電源とインターネットプロトコル（ＩＰ）を分離し、電力線搬送通信中継部３５ａでＡＣ電源に重畳して、電力線搬送通信Ｉ／Ｆ３０に送信し、信号変換部８を介してエレベータ制御部１へ送信する。ホール機器７ｃもまた、同様である。
【００３７】
同様に、電力線搬送通信中継Ｉ／Ｆ３１ｂは、電力線搬送中継部３５ｂ、電源変換部３６ｂ、及びＰｏＥ変換部３８ｂから構成され、イーサネットケーブル３９ｂ，３９ａを介してホール機器７ｂ、７ａに接続される。
【００３８】
以上のように、本第２実施形態によれば、上記電力線搬送通信中継Ｉ／Ｆ３１ａ，３１ｂは、上記電力ケーブル上を伝送してきたインターネットプロトコル変換された伝送信号を上記エレベータ用ＡＣ電源から分離し、且つ、上記ホール機器７ｃ，７ｄまたは７ａ，７ｂからのインターネットプロトコル変換された伝送信号を上記エレベータ用ＡＣ電源に重畳して上記電力ケーブル上に伝送する電力線搬送通信中継部３５ａ，３５ｂと、上記電力線搬送通信中継部３５ａ，３５ｂにて分離された上記エレベータ用ＡＣ電源を上記ホール機器に必要なＤＣ電源に変換する電源変換部３６ａ，３６ｂと、上記電力線搬送通信中継部３５ａ，３５ｂで分離されたインターネットプロトコル変換された伝送信号を上記電源変換部３６ａ，３６ｂからのＤＣ電源に重畳して上記ホール機器７ｃ，７ｄまたは７ａ，７ｂに伝送し、且つ、上記ホール機器７ｃ，７ｄまたは７ａ，７ｂから伝送してきたインターネットプロトコル変換された伝送信号を上記ＤＣ電源から分離して上記電力線搬送通信中継部３５ａ，３５ｂに送信するＰｏＥ変換部３８ａ，３８ｂと、からなり、上記ホール機器７ｃ，７ｄまたは７ａ，７ｂは、当該ホール機器７ｃ，７ｄまたは７ａ，７ｂに対し入出力される伝送信号と上記ＤＣ電源の分離及び重畳を行なうＰｏＥ対応Ｉ／Ｆを備えるように構成したので、ホール機器敷設作業の省力化が可能となる。
【００３９】
［第３実施形態］
次に、本発明の第２実施形態に係るエレベータシステムを説明する。  
本第３実施形態においては、上記第２実施形態の構成で、ホール機器７ａ〜７ｄの内の少なくとも一つに、外部接続用のＰｏＥ接続Ｉ／Ｆまたはイーサネット接続Ｉ／Ｆなどの外部通信Ｉ／Ｆを設け、図３に示す通り、保守時に該外部通信Ｉ／Ｆに対してＰｏＥ対応あるいはイーサネットの保守端末４０を接続できるように構成したものである。
【００４０】
作業員は、保守端末４０を用いて、例えばホール機器７ａが備える外部通信Ｉ／Ｆに接続し、該ホール機器７ａを介してエレベータ制御部１と相互に伝送し、必要な情報の授受を行うことで、エレベータ制御部１の図示しないＥＥＰＲＯＭなどに記録されている保守パラメータ変更や、各種機器の状態情報を取得して、エレベータの保守業務を行う。
【００４１】
なお、本実施形態では、ホール機器７ａ〜７ｄの内の少なくとも一つに、外部接続用のＰｏＥ接続Ｉ／Ｆまたはイーサネット接続Ｉ／Ｆなど外部通信Ｉ／Ｆを設ける構成としたが、外部通信Ｉ／Ｆはそれに限らず、無線ＬＡＮやＢｌｕｅｔｏｏｔｈ（登録商標）などの無線Ｉ／Ｆであっても構わない。
【００４２】
以上のように、本第３実施形態によれば、上記ホール機器７ａは、更に、保守端末４０と通信するための外部通信Ｉ／Ｆを備え、当該ホール機器７ａを介して上記エレベータ制御部１と上記保守端末４０との問の電力線搬送通信を行なわせるように構成したので、エレベータホールからの保守業務が容易に行えるようになる。
【００４３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。
【符号の説明】
【００４４】
１…エレベータ制御部、  ２…巻上機、  ３…乗りかご、  ４…主索、  ５…釣合い錘、  ６…昇降路、  ７ａ〜７ｄ…ホール機器、  ８，１１，３７ａ，３７ｂ…信号変換部、  ９…伝送ケーブル、  １０…乗りかご制御部、  １２ａ〜１２ｄ…エレベータホール、  １３…機械室、  ２０…昇降路側無線送受信部、  ２１…乗りかご側無線送受信部、  ２２…監視カメラ、  ３０…電力線搬送通信Ｉ／Ｆ、  ３１ａ，３１ｂ…電力線搬送通信中継Ｉ／Ｆ、  ３２…電源部、  ３３…フィルタ、  ３４…電力線搬送通信変換部、  ３５ａ，３５ｂ…電力線搬送通信中継部、  ３６ａ，３６ｂ…電源変換部、  ３８ａ，３８ｂ…ＰｏＥ変換部  ３９ａ〜３９ｄ…イーサネットケーブル、  ４０…保守端末。
【図１】
2011088691.tif 000003
【図２】
2011088691.tif 000004
【図３】
2011088691.tif 000005